(57)【要約】【課題】食器洗浄機用廃熱エネルギー再活用装置を提供する。【解決手段】自動食器洗浄機１００の下部後面５０に二重コルゲート管４４を設置し、前記二重コルゲート管４４の内管である廃水放熱管Ａと、外管である原水吸熱管Ｂが二重構造をなし、前記二重コルゲート管４４の両端に二重管ニップル４８ａ、４８ｂを締結してそれぞれの役割を区分させ、前記二重コルゲート管４４の内管一端には洗浄後の水をすてる廃水搬出口４５を、内管他端には廃水退出口４７をそれぞれ構成してなり、前記二重コルゲート管４４の外管一端には吸熱水搬出口４３ｂを、外管他端には原水搬入口４２をそれぞれ構成してなり、前記吸熱水搬出口４３ｂは１次加熱温水器６０と連結設置され、前記自動食器洗浄機１００の下部に備えられた２次加熱温水器７０には加熱水搬入口４３ａを前記１次加熱温水器６０と連結して構成することにより、時間とエネルギーの過度な浪費による経済的損失、加熱時間の遅延による作業性の低下、非効率的な洗浄及び殺菌力減少などの問題点が一気に解決できる。【選択図】図１
0003106414.tif 000002
【実用新案登録請求の範囲】
【請求項１】
１次加熱温水器（６０）で加熱した温水を２次加熱温水器（７０）に送り、該２次加熱温水器（７０）で加熱した温水により食器を自動洗浄する自動食器洗浄機（１００）において、
該２次加熱温水器（７０）には前記１次加熱温水器（６０）から温水を受け入れる加熱水搬入口（４３ａ）を有し、
前記自動食器洗浄機（１００）の下部には、該２次加熱温水器（７０）から送られた温水により洗浄した廃水を排出する廃水搬出口（４５）を有し、該廃水搬出口（４５）には二重コルゲート管（４４）が接続され、
該二重コルゲート管（４４）は内管が廃水放熱管（Ａ）であり、外管が原水吸熱管（Ｂ）である二重構造を為し、
前記二重コルゲート管（４４）の両端に各々二重管ニップル（４８ａ）及び二重管ニップル（４８ｂ）を備え、
前記二重コルゲート管（４４）の内管の一端は、二重管ニップル（４８ａ）の内管を介して前記廃水搬出口（４５）に接続されており、
前記二重コルゲート管（４４）の内管の他端は、二重管ニップル（４８ｂ）の内管を介して廃水退出口（４７）に接続されており、
前記二重コルゲート管（４４）の外管の一端は、二重管ニップル（４８ｂ）の外管を介して原水搬入口（４２）に接続されており、
前記二重コルゲート管（４４）の外管の他端は、二重管ニップル（４８ａ）の外管を介して吸熱水搬出口（４３ｂ）に接続されており、該吸熱水搬出口（４３ｂ）は前記１次加熱温水器（６０）に連結され、前記吸熱水が前記１次加熱温水器（６０）に戻されて熱の再利用が可能な構造であることを特徴とする食器洗浄機用廃熱エネルギー再活用装置。
【請求項２】
前記二重コルゲート管（４４）は蛇管状に構成され、内管を流れる廃水の流れと外管を流れる原水の流れが交差流れ（交流）を構成することを特徴とする請求項１記載の食器洗浄機用廃熱エネルギー再活用装置。
【請求項３】
前記二重コルゲート管（４４）は、二重コルゲート管（４４）の内管と外管の熱伝導面積を極大化させた構造であることを特徴とする請求項１又は２記載の食器洗浄機用廃熱エネルギー再活用装置。
【請求項４】
前記二重コルゲート管（４４）の内管と外管は、ジャバラ状の構造を為すことを特徴とする請求項３記載の食器洗浄機用廃熱エネルギー再活用装置。
【考案の詳細な説明】
【技術分野】
【０００１】
本考案は、自動食器洗浄機で用途を終えてから捨てられる廃棄洗浄水に含まれた廃熱エネルギーを再活用して洗浄機の使用効率を高めて経済性を向上させられる食器洗浄機用廃熱エネルギー再活用装置に関する。
【背景技術】
【０００２】
通常、食器洗浄機に使用される洗浄原水(すすぎ水)の水温が約８２℃以上の温度を保持できないと良質の洗浄力と確実な殺菌効果が得られない。
【０００３】
従って、自動食器洗浄機に供給される洗浄原水(すすぎ水)を直接ガス加熱温水器や電気加熱温水器にて適正な洗浄水温度の８２℃以上に加熱して自動食器洗浄機に供給して使用している。
【０００４】
さらに説明すると、従来使用してきた食器洗浄機は、前記洗浄機に流入される洗浄原水(すすぎ水)を適正な温度に加熱するために、水道原水管から搬入される低温の洗浄原水(すすぎ水)をガスまたは電気加熱温水装置に流入させ、前記加熱温水器で適正温度に加熱した後に食器洗浄機に供給して使用する仕組みとなっている。
【特許文献１】実開平０７−１２０６４号公報
【考案の開示】
【考案が解決しようとする課題】
【０００５】
前記従来の洗浄原水(すすぎ水)の加熱方式は、約８℃の洗浄原水(すすぎ水)を８２℃以上まで急速に上げなければならないため過度な加熱エネルギーが費やされ、ガス又は電気加熱温水器で洗浄原水(すすぎ水)が適正温度の水準に至るまでかかる時間的遅延により作業性が低下し、適正温度が保持された時のみに良質の洗浄力と最上の殺菌効果が極大化される自動食器洗浄機の特性上、色々な問題点を抱えているのが現状である。
【０００６】
従って、本考案は、前述した従来の問題点を解決するために案出されたものであり、用途を終えた廃洗浄水に含まれた廃熱エネルギーを再活用する食器洗浄機用廃熱エネルギー再活用装置を提供することにその目的がある。
【課題を解決するための手段】
【０００７】
本考案者は、上記課題を解決すべく種々検討の結果、以下の各考案によって解決されることを見出した。
【０００８】
（請求項１）１次加熱温水器６０で加熱した温水を２次加熱温水器７０に送り、該２加熱温水器７０で加熱した温水により食器を自動洗浄する自動食器洗浄機１００において、該２次加熱温水器７０には前記１次加熱温水器６０から温水を受け入れる加熱水搬入口４３ａを有し、前記自動食器洗浄機１００の下部には、該２次加熱温水器７０から送られた温水により洗浄した廃水を排出する廃水搬出口４５を有し、該廃水搬出口４５には二重コルゲート管４４が接続され、該二重コルゲート管４４は内管が廃水放熱管Ａであり、外管が原水吸熱管Ｂである二重構造を為し、前記二重コルゲート管４４の両端に各々二重管ニップル４８ａ及び二重管ニップル４８ｂを備え、前記二重コルゲート管４４の内管の一端は、二重管ニップル４８ａの内管を介して前記廃水搬出口４５に接続されており、前記二重コルゲート管４４の内管の他端は、二重管ニップル４８ｂの内管を介して廃水退出口４７に接続されており、前記二重コルゲート管４４の外管の一端は、二重管ニップル４８ｂの外管を介して原水搬入口４２に接続されており、前記二重コルゲート管４４の外管の他端は、二重管ニップル４８ａの外管を介して吸熱水搬出口４３ｂに接続されており、該吸熱水搬出口４３ｂは前記１次加熱温水器６０に連結され、前記吸熱水が前記１次加熱温水器６０に戻されて熱の再利用が可能な構造であることを特徴とする食器洗浄機用廃熱エネルギー再活用装置。
【０００９】
（請求項２）前記二重コルゲート管４４は蛇管状に構成され、内管を流れる廃水の流れと外管を流れる原水の流れが交差流れ（交流）を構成することを特徴とする請求項１記載の食器洗浄機用廃熱エネルギー再活用装置。
【００１０】
（請求項３）前記二重コルゲート管４４は、二重コルゲート管４４の内管と外管の熱伝導面積を極大化させた構造であることを特徴とする請求項１又は２記載の食器洗浄機用廃熱エネルギー再活用装置。
【００１１】
（請求項４）前記二重コルゲート管４４の内管及び外管は、ジャバラ状の構造を為すことを特徴とする請求項３記載の食器洗浄機用廃熱エネルギー再活用装置。
【考案の効果】
【００１２】
本考案に係る廃洗浄水の廃熱エネルギー再活用装置は、食器洗浄水としての役割を終えて用途廃棄される廃洗浄水に含まれている６０℃に相当する廃熱エネルギーをごく簡単な構造で制作した本装置により新たに流入される原水に６０％を上回る熱量を伝導させることにより、省エネルギー効果は勿論加熱時間短縮による作業力の向上、適正水温を常に保持する洗浄水供給による洗浄殺菌力の極大化を成し遂げることができる。
【考案を実施するための最良の形態】
【００１３】
前記目的を達成するための、本考案の構成及び作用を添付図面を参照しつつ詳細に説明すると下記の通りである。
【００１４】
図１は本考案の食器洗浄システムと、廃洗浄水を利用した廃熱エネルギー再活用装置との連結状態を示した全体システム図であり、図２は廃熱エネルギー再活用装置のみの構成を示した主要部の切開図であり、図３は廃水熱再活用装置の核心である廃水放熱管Ａと原水吸熱管Ｂの主要部を切開した断面拡大図である。
【００１５】
次に、添付図面の細部符号名称による本考案の設置工程について詳細に説明する。
【００１６】
本考案による食器洗浄機用廃熱エネルギー再活用装置は、自動食器洗浄機１００の下部後面５０に二重コルゲート管４４が設置されており、前記二重コルゲート管４４の内管である廃水放熱管Ａと、外管である原水吸熱管Ｂが二重構造をなし、前記二重コルゲート管４４の両端に各々二重管ニップル４８ａ及び二重管ニップル４８ｂを備え、前記二重コルゲート管４４の内管である廃水放熱管Ａの一端は二重管ニップル４８ａの内管を介して廃水搬出口４５と接続されており、他端は二重管ニップル４８ｂの内管を介して廃水退出口４７と接続されてなり、前記二重コルゲート管４４の外管である原水吸熱管Ｂの一端は二重管ニップル４８ａの外管を介して吸熱水搬出口４３ｂと接続されており、他端は二重管ニップル４８ｂの外管を介して原水搬入口４２に接続されてなり、前記吸熱水搬出口４３ｂは１次加熱温水器６０と連結されており、自動食器洗浄機１００内の下部に備えられた２次加熱温水器７０には前記１次加熱温水器６０から温水を受け入れる加熱水搬入口４３ａとを連結して構成する。
【００１７】
本考案の二重コルゲート管４４は、図中蛇行形状となっているが、二重コルゲート管４４の形状はこれに限定されるものではなく、例えばスパイラル形状となっていてもよい。
【００１８】
本考案の廃水熱再活用装置の核心である廃水放熱管Ａと原水吸熱管Ｂの形状は、図３に示すように蛇腹状に形成されているが、廃水放熱管Ａと原水吸熱管Ｂを蛇腹状に形成することは、廃水放熱管Ａから原水吸熱管Ｂへの熱交換面積が広くなることにより効果的な熱伝導が行なわれるため好ましい。
【００１９】
さらに、添付図面の細部符号名称による本考案の作用過程について詳細に説明する。
【００２０】
前記自動食器洗浄機１００の下部後面５０に二重コルゲート管４４を設置し、その両端には二重管ニップル４８ａ、４８ｂをそれぞれ締結し、原廃水の交差流れの役割を内外二重管ニップル４８ａ、４８ｂにより区画し、二重コルゲート管４４の内管一端には二重管ニップル４８ａの内管を介して廃水搬出口４５を接続し、自動食器洗浄機で用途廃棄される廃洗浄水を廃水搬出口４５に流入させ、二重コルゲート管４４の内管である廃水放熱管Ａを通過して二重コルゲート管４４の内管他端に二重コルゲート管４８ｂの内管を介して接続される廃水退出口４７に流れ出るようにする。
【００２１】
さらに、二重コルゲート管４４の外管一端に二重管ニップル４８ｂの外管を介して原水搬入口４２が接続され、前記原水搬入口４２から流入される低温の洗浄原水(すすぎ水)は、二重コルゲート管４４の外管である原水吸熱管Ｂに沿って逆流しながら廃水熱を吸収し、８℃の低温原水がおおよそ４０℃の加熱温水に予熱され、前記洗浄原水(すすぎ水)は二重コルゲート管４４の外管他端に二重管ニップル４８ｂの外管を介して接続される吸熱水搬出口４３ｂに導かれて該吸熱水搬出口４３ｂと接続される１次加熱温水器６０に流入されて約６０℃の高温水に加熱され、加熱水搬入口４３ａに導かれて食器洗浄機内の下部に設置された２次加熱温水器７０に流入され、洗浄水の適正水温である約８２℃以上に加熱されてから洗浄室に供給されて本来の目的であるすすぎ洗浄水としての役割を果たすようになる。
【００２２】
よって、前記用途廃棄された廃洗浄水は再び再活用システムにより循環を繰り返して自然に自分が持っている熱量、即ち６０℃の３分の２である約４０℃の熱を原水吸熱管Ｂにより新たに流入される低温の洗浄原水(すすぎ水)に伝導させることにより、食器洗浄機用の廃熱再活用システムを連続して実現させる。
【実施例】
【００２３】
（洗浄機の連続使用時における再活用装置の実施例）
【００２４】
【表１】
0003106414.tif 000003
【００２５】
前記表のように、８℃の低温原水が入って１次加熱器を経由して２次加熱器で適正水温の８２℃に至るまでは、相当の時間とエネルギーの過度な浪費による経済的損失、加熱時間の遅延による作業性の低下、一定でない水温偏差による食器洗浄力の低下、かつ殺菌効果減少などのたくさんの問題点が発生したが、本考案の廃熱再活用装置により前述した問題点を一気に解決することができた。
【００２６】
特に、本考案の廃熱エネルギー再活用システムは、装置自体がごく簡単な構造なので、本食器洗浄機内の下部後側面に容易に装着することができる。
【図面の簡単な説明】
【００２７】
【図１】本考案の食器洗浄システムと、廃洗浄水を利用した廃熱エネルギー再活用装置との連結状態を示した全体システム図
【図２】本考案の廃熱エネルギー再活用装置のみの構成を示した主要部の切開図
【図３】本考案の廃水熱再活用装置の核心である廃水放熱管Ａと原水吸熱管Ｂの主要部を切開した断面拡大図
【符号の説明】
【００２８】
４２：原水搬入口             
４３ａ：加熱水搬入口
４３ｂ：吸熱水搬出口
４４：二重コルゲート管
４５：廃水搬出口
４７：廃水退出口
４８ａ、４８ｂ：二重管ニップル
６０：１次加熱温水器
７０：２次加熱温水器
１００：自動食器洗浄機
Ａ：廃水放熱管
Ｂ：原水吸熱管
【図１】
0003106414.tif 000004
【図２】
0003106414.tif 000005
【図３】
0003106414.tif 000006